(57)【要約】【課題】鋼材量を低減すると共に海底面より下方に壁体を容易に構築することができ、しかも壁体と一体化して土圧による抵抗に耐えることができる護岸構造を提供する。【解決手段】所定の間隔で海底地盤等の地盤（３９，１０）に打設された継ぎ手付き杭１と杭２とがストラット部材３で連繋されて継ぎ手付き杭列４と杭列５とが並行に構築され、地中に打ち込まれると共に外側に凸の円弧状に配置され、相互間が継ぎ手で連結された複数の矢板の端部が前記継ぎ手付き杭列４に配置されると共にその継ぎ手付き杭列４における隣り合う各継ぎ手付き杭１に連結されて壁体Ａが構成され、前記外側に凸の円弧状の壁体Ａの内側に裏込材１３が充填されている護岸構造。【選択図】  図１
2004308328.tif 000002
【特許請求の範囲】
【請求項１】
所定の間隔で海底地盤等の地盤に打設された継ぎ手付き杭と杭とがストラット部材で連繋された継ぎ手付き杭列と杭列とが並行に構築され、地中に打ち込まれると共に外側に凸の円弧状に配置され、相互間が継ぎ手で連結された複数の矢板の端部が前記継ぎ手付き杭列に配置されると共にその継ぎ手付き杭列における隣り合う各継ぎ手付き杭に連結されて壁体（Ａ）が構成され、前記外側に凸の円弧状の壁体（Ａ）の内側に裏込材が充填されていることを特徴とする護岸構造。
【請求項２】
前記杭とストラット部材下部との結合部であるストラット格点と反対側の継ぎ手付き杭は、水平補剛部材据え付け用のガイドが設けられた水平補剛部材据え付けガイド付き杭とされ、前記ストラット格点で水平補剛部材の一端側を結合すると共に、水平補剛部材の他端側を水平補剛部材据え付けガイド付き杭に水中接合することで水平部材を設けたことを特徴とする請求項１に記載のストラット式の護岸構造。
【請求項３】
前記継ぎ手付き杭と杭間とを繋ぐストラット部材は、予め鞘管にストラット材の下端部を固定すると共に水平補剛部材の一端側を固定してユニット化された水平補剛部材付きストラット部材であることを特徴とする請求項１または２に記載のストラット式の護岸構造。
【請求項４】
前記ストラット格点を水底地盤の土中に設置することで、前記壁体（Ａ）の水平変位を小さくなるようにしたことを特徴とする請求項２または３に記載のストラット式の護岸構造。
【請求項５】
前記杭列に平行に、地中に打ち込まれると共に直線状に配置され、相互間が継ぎ手で連結された複数の矢板による止水壁体（Ｂ）が構成され、前記外側に凸の円弧状の壁体（Ａ）と前記止水壁体（Ｂ）との間および止水壁体（Ｂ）の裏側に裏込材が充填されていることを特徴とする請求項１から請求項４のいずれか１項に記載のストラット式の護岸構造。
【発明の詳細な説明】
【０００１】
【発明の属する技術分野】
本発明は、土木建築分野における河川・港湾・構造物を中心とする、護岸・係船岸・土留め構造あるいは防波堤，導流堤、または河川や山岳部等の陸上部における土留め壁や砂防ダム等の壁体構造にも適用可能な土圧を受ける護岸構造に関する。
【０００２】
【従来の技術】
護岸・岸壁等として用いられる、ジャケット構造と土圧を受ける壁を一体化した土圧を受ける構造物としては、図１３に示すような、レグ３２と斜材３４と水平補剛部材３５と杭３６からなり、土圧に抵抗するジャケット構造物３０と、土圧を直接受ける壁体３１を、ジャケット構造物３０における陸側のレグ３２における沖側継ぎ手部の位置３３で直接嵌合させた構造物が知られている（例えば、特許文献１参照。）。
【０００３】
【特許文献１】
特開２００１−２４８１３５号公報（図１、第２−３ページ）
【０００４】
前記従来の場合は、壁体３１がジャケット構造物３０の背後に独立して設けられていたものを一体化することで経済的な構造としていると共に、壁体３１には、円弧状に配置した鋼矢板または鋼管矢板を用いることにより、壁体３１に必要な曲げ耐力を軽減している。
【０００５】
【発明が解決しようとする課題】
しかし、前記従来のジャケット構造物３０の場合は、ジャケット３７およびジャケット構造物３０の製作施工方法から、レグ部３２が杭３６との二重管構造となり、鋼材料が増えて不経済となる。
【０００６】
また、土圧を直接受ける壁体３１は、レグ３２および杭３６を施工後に、嵌合継ぎ手をガイドレールとして設置することとなる。しかし、ジャケット構造物３０のレグ３２は、通常、水底地盤３９表面の海底面３８までしか設置されず、海底面３８のレグ３２下端から杭３６が突出して水底地盤へ打ち込まれている。従って、レグ３２にのみ嵌合継ぎ手を設置すると、壁体３１は海底面３８までしか設置できない。
【０００７】
さらに、海底面３８より下方まで壁体３１を設置しようとすると、レグ３２下端より下方の杭部３６にも嵌合継ぎ手が必要となる。ジャケット構造物３０の構造上、杭３６に嵌合継ぎ手を設けるのは困難であり、仮になんらかの方策を用いて嵌合継ぎ手を設置したとしても、レグ３２下端で、これらの継ぎ手が不連続となってしまい、これをガイドレールとして壁体３１を設置するのは困難である。反対に、これを回避するためにレグ３２の下端を海底面より下方にしようとすると、ジャケット構造物３０のジャケット３７本体の設置が困難となる。
【０００８】
本発明は、護岸構造における鋼材量を低減すると共に海底面より下方に壁体を容易に構築することができ、しかも壁体と一体化して土圧による抵抗に耐えることができる護岸構造、特にストラット式の護岸構造を提供することを目的とする。
【０００９】
【課題を解決するための手段】
前記の目的を達成するため、本発明に係る護岸構造は、次のように構成する。
【００１０】
第１の発明の護岸構造では、所定の間隔で海底地盤等の地盤（３９，１０）に打設された継ぎ手付き杭１と杭２とがストラット部材３で連繋された継ぎ手付き杭列４と杭列５とが並行に構築され、地中に打ち込まれると共に外側に凸の円弧状に配置され、相互間が継ぎ手で連結された複数の矢板の端部が前記継ぎ手付き杭列４に配置されると共にその継ぎ手付き杭列４における隣り合う各継ぎ手付き杭１に連結されて壁体Ａが構成され、前記外側に凸の円弧状の壁体Ａの内側に裏込材１３が充填されていることを特徴とする。
【００１１】
また第２発明では、第１発明のストラット式護岸構造において、前記杭２とストラット部材３下部との結合部であるストラット格点１４と反対側の継ぎ手付き杭１は、水平補剛部材据え付け用のガイドが設けられた水平補剛部材据え付けガイド付き杭とされ、前記ストラット格点で水平補剛部材の一端側を結合すると共に、水平補剛部材の他端側を水平補剛部材据え付けガイド付き杭に水中接合することで水平部材を設けたことを特徴とする。
【００１２】
第３発明では、第１発明または第２発明のストラット式護岸構造において、前記継ぎ手付き杭と杭間とを繋ぐストラット部材は、予め鞘管にストラット材の下端部を固定すると共に水平補剛部材の一端側を固定してユニット化された水平補剛部材付きストラット部材であることを特徴とする。
【００１３】
第４発明では、第２または第３発明のストラット式護岸構造において、前記ストラット格点を水底地盤の土中に設置することで、前記壁体Ａの水平変位を小さくなるようにしたことを特徴とする。
【００１４】
第５発明では、第１〜第４発明のいずれかに記載のストラット式護岸構造において、前記杭列に平行に、地中に打ち込まれると共に直線状に配置され、相互間が継ぎ手で連結された複数の矢板による止水壁体Ｂが構成され、前記外側に凸の円弧状の壁体Ａと前記止水壁体Ｂとの間および止水壁体Ｂの裏側に裏込材が充填されていることを特徴とする。
【００１５】
本発明の重要なポイントは、ストラット材を使用している点にあり、また護岸構造としては、鋼材量を低減している共に、海底面より下方に壁体を容易に構築することができ、しかも壁体と一体化して土圧による抵抗に耐えることができる護岸構造とされ、杭式ラーメン構造と、セル式護岸構造を併用した護岸構造とし、安定性に優れ、遮水性に優れ、施工が容易で、安価な護岸構造としている。
【００１６】
第１発明によると、次の▲１▼〜▲２▼の作用効果がある。
▲１▼壁体と一体化して土圧による抵抗に耐える構造を、ストラット構造とすることで、従来のジャケット構造物に比べ、レグがなくなり、ストラット部材の格点部以外には２重管構造にならないので、鋼材料および加工量を低減して経済的な構造とすることができる。
【００１７】
▲２▼  土圧に抵抗する構造物をストラット構造とすることで、壁体が嵌合する部材がすべて杭となり、海中部から海底部までのすべての範囲に連続した嵌合継ぎ手を設置することが可能となる。これにより、海底面以下まで嵌合継ぎ手を介して壁体を設置することが可能となり、海底面以下への施工もガイドレールである継ぎ手が連続していることから容易に行なえる。
【００１８】
第２発明によると、次の作用効果がある。
通常のストラット構造は少ない斜材で杭間を連結して水平抵抗に耐えることが多いが、第２発明の構造によって、水平抵抗に対抗する部材がより必要な場合には、据え付けガイドの設置による施工と、水中接合を用いることで、継ぎ手付き杭と杭間を確実に連繋して、大きな水平力に抵抗することができる護岸構造とすることができ、しかも壁体の嵌合継ぎ手に影響を及ぼさず、ストラット式の護岸構造の特長を保持しつつ、水平抵抗性を高めることができる。
【００１９】
第３発明によると、次の作用効果がある。
鞘管にストラット材の下端部を固定すると共に水平補剛部材の一端側を固定してユニット化された水平補剛部材付きストラット部材であるので、継ぎ手付き杭と杭を連結する部材が単純化されているので、構造が簡単で、施工も容易であり、鞘管を利用して、杭をガイドしながら水底地盤に打設することができる。
【００２０】
第４発明によると、次の作用効果がある。
さらに水平抵抗が必要な場合には、ストラット格点を、ジェットダウン工法等により、水底地盤の土中に容易に設置することで、水底地盤にストラット格点部分を支承させて水平抵抗をより大きくして、その水平変位を小さくし、しいては前記壁体Ａの水平変位を小さくすることができる。
【００２１】
第５発明によると、次の作用効果がある。
杭列と継ぎ手付き杭列に平行に、地中に打ち込まれると共に直線状に配置され、相互間が継ぎ手で連結された複数の矢板による止水壁体Ｂが構成され、前記外側に凸の円弧状の壁体Ａと前記止水壁体Ｂとの間および止水壁体Ｂの裏側に裏込材が充填されているので、地盤に打設された壁体Ａと止水壁体Ｂとによる２重の止水壁体になり、止水性を格段に向上させた護岸構造とすることができ、しかも壁体間の間隔を比較的小さくすることができ、壁体間隔の小さい小型の護岸構造とすることができる。
【００２２】
【発明の実施の形態】
本発明の実施形態について図を参照して詳細に説明する。
【００２３】
図１〜図１０は実施形態１を示し、図１１および図１２は実施形態２を示す。
【００２４】
実施形態１は、海底の水底地盤３９よりも深く基礎地盤１０に打設された継ぎ手付き杭１と杭２とによって並行な２列の継ぎ手付き杭列４およびこれに間隔をおいて並行に継ぎ手を備えていえない杭列５が形成され、前記継ぎ手付き杭列４および杭列５における対向する継ぎ手付き杭１と杭２が、傾斜したストラット部材３により連繋され、一方の継ぎ手付き杭列４間に鋼矢板壁６が構築されている点に特長がある。また、実施形態２は、海等の水域側に継ぎ手付き杭列４および鋼矢板壁６を配置した点に特長がある。以下順に説明する。
【００２５】
図１は、実施形態１の斜視図であり、図２は、継ぎ手を備えていない鋼管杭に鞘管およびストラット部材並びに水平補剛部材が集中する格点部付近を拡大して示す拡大縦断側面図であり、図３は平面図、図４（ａ）は、ストラット部材を、継ぎ手付き鋼管杭のガイド部に沿って所定の位置に下降移動して設置した状態を示す一部縦断側面図、（ｂ）は継ぎ手付き鋼管杭のガイド部に沿ってガイドされたストラット部材と継ぎ手付き鋼管杭との間にグラウトを充填して固定した状態を示す拡大横断平面図、図５は図４（ｂ）を拡大して示す図、図６〜図１０は施工手順を示す概略側面図である。
【００２６】
本発明の護岸構造を構築する場合は、まず、図６（ａ）に示すように、杭打ち用作業船２５を使用して、その圧入支持装置２８に支持された継ぎ手付き鋼管杭１を水底地盤（海底地盤）３９等の基礎地盤１０に、順次前後方向に間隔をおいて直列に打設して一方の継ぎ手付き杭列４を築造する。
【００２７】
前記継ぎ手付き鋼管杭１は、この実施形態では、鋼管杭本体９の前後両側に継ぎ手８を備えており、各継ぎ手８は、前記鋼管杭本体９の上端部を除く上部から中間部に連続して設けられ、鋼管杭本体９が打設された時に、水底地盤３９より下方の所定の位置まで上下方向に連続した止水壁を設けることができる継ぎ手８であり、この継ぎ手８に、鋼矢板２３相互の継ぎ手２４が嵌合されてユニット化された鋼矢板壁６の端部の継ぎ手２４が嵌合され、水底地盤３９より下方の所定の位置まで、壁体Ａが築造できるように構成されている。
【００２８】
また、前記継ぎ手付き鋼管杭１における前後両側の継ぎ手８の間で、継ぎ手を備えていない杭２に対向する側の継ぎ手付き鋼管杭１における鋼管杭本体９に、水平補剛部材据え付け用のガイド部１１が設けられている。この実施形態では、前後方向に間隔をおくと共に上下方向に延長するように、一対の矢板継ぎ手１２の基部側が溶接により鋼管杭本体９に固定されて、水平補剛部材据え付け用のガイド部１１とされている。
【００２９】
前記水平補剛部材据え付け用のガイド部１１は、鋼管杭本体９の上部から水底地盤３９よりも若干下方の位置まで設けられおり、これにより、水平補剛部材据え付け用のガイド部１１にガイドされて下降移動される後記のストラット部材３をガイドして、前記ストラット部材３下部における格点部の一部を形成する鞘管７部分を、水底地盤３９の土中の所定の位置に埋め込むために、水底地盤３９よりも若干下方の位置まで設けられている。
【００３０】
次いで、前記継ぎ手付き鋼管杭１における水平補剛部材据え置き用のガイド部１１にガイドされるストラット部材３の構成について説明する。
この実施形態では、水平補剛部材付きのストラット部材３とされ、傾斜した状態（図示の場合）または鉛直状態の鋼製鞘管７の一端側上部に、上部が前記鞘管７から離反するように傾斜した状態で配置された鋼管製のストラット材１５の下端部が溶接等により固定され、また、前記鋼製鞘管７の一端側下部に、鋼管製の水平補剛部材１６の一端部が溶接等により固定され、前記ストラット材１５の上端部には、継ぎ手付き杭１の上端部に固定するための鋼製縦短管１７の一側部が溶接等により固定されている。前記縦短管１７の内周面には、図３（ｂ）に示すように、継ぎ手付き杭１の上端部に嵌合されて位置決めされた後、前記縦短管１７を前記継ぎ手付き杭１の上端部に仮固定するための、仮固定用鋼製部材２４ａが溶接により固定されている。
【００３１】
また、前記水平補剛部材１６の他端部には、端板１８が溶接により固定され、その端板１８には、前後方向に間隔をおくと共に端板１８の上下方向の両端部まで延長する嵌合継ぎ手を先端部に備えた継ぎ手部材２０の基端部が溶接により固定されて、前記ガイド部１１に嵌合される被ガイド部１９を構成している。また、前記端板１８の前後両端部には、平面ほぼ鈍角くの字状の鋼製側部カバー部材２１が縦向きに対向配置されて、その側部カバー部材２１の基端部が溶接により、端板１８に固定されている。また、前記側部カバー部材２１の先端部内側には、継ぎ手付き杭１の外周面に当接されるシール材２２が設けられている。前記側部カバー部材２１の先端部は、前記継ぎ手部材２０がガイド部１１に嵌合連結された状態で、継ぎ手付き杭１における鋼管杭本体９の外周面に近接するように構成される。なお、図示を省略するが、前記側部カバー部材２１の上下部には、シール材を備えた蓋材が前記端板１８に固定されている。
【００３２】
次いで、図６（ｂ）に示すように、前記ストラット部材３が作業船２５おける吊り下げ支持装置により吊り下げ支持されて、水底地盤３９および基礎地盤（支持層）１０に打ち込まれた継ぎ手付き杭１における水平補剛部材据え付け用のガイド部１１に、ストラット部材３における水平補剛部材１６先端部の被ガイド部１９が嵌合されて、前記継ぎ手付き杭１に沿って下降移動される。
【００３３】
前記ストラット部材３の設置位置としては、ストラット部材３と杭２との格点部となる鞘管７および水平補剛部材１６の位置が、水底地盤３９上でもよいが、水底地盤３９の土中に埋め込まれた状態であると、水底地盤３９に鞘管７部分および水平補剛部材１６を支承させて前記鞘管７部分および水平補剛部材１６の横移動を拘束し、格点部を含む鞘管７部分および水平補剛部材１６の水平変位を小さくでき、ひいては鋼管杭２および継ぎ手付き鋼管杭１並びに護岸構造全体の水平変位が小さくできる。
【００３４】
前記のように鞘管７および水平補剛部材１６の部分を水底地盤３９の土中に埋め込むために、図７（ｃ）に示すように、予め水平補剛部材１６の下部に、下側に小間隔をおいて多数の噴射ノズルを備えた噴射管２６を固定あるいは着脱可能に装着すると共に、前記噴射管２６の基端部を作業船２５から繰り出される高圧ホース２７に接続した状態で、前記噴射管２６から水底地盤３９に向ってウォータージャットを噴射すると共に、水平補剛材付きストラット部材３を降下させることにより、水平補剛材付きストラット部材３を水底地盤３９内の所定の位置に配置する。なお、前記高圧ホース２７の先端側中間部に間隔をおいて噴射ノズルを有する高圧ホース２７を開放可能に取付けた条体などのより水平補剛部材１６に仮固定してもよく、ストラット材１５または水平補剛部材１６に、前記高圧ホース２７またはこれに接続される前記噴射管２６の位置決め部材（図示を省略してもよい。
【００３５】
前記ストラット部材３を所定の位置に設置すると共に、ストラット部材３の上端部の短管１７を継ぎ手付き鋼管杭１に嵌合させて、図２（ｂ）に示すように、前記仮固定用鋼製部材２４ａを鋼管杭本体９の外周面に溶接などにより仮固定する。
【００３６】
次いで、図７（ｄ）に示すように、傾斜した鞘管７をガイドとして、作業船２５の圧入支持装置２８に支持された前方の杭２を水底地盤３９および基礎地盤１０に打設する。このようにして、前後方向に間隔をおいて、多数の継ぎ手付き鋼管杭１と杭２とが並行に打設されて、ストラット部材３により連繋された継ぎ手付き杭列４と、継ぎ手を備えていない杭列５を並行して構築する。
【００３７】
次いで、図８（ｅ）に示すように、前後方向に間隔をおいて隣接する継ぎ手付き鋼管杭１間に、継ぎ手相互が噛み合わされてユニット化された複数の直線状矢板または鋼管矢板等の鋼矢板２３からなる平面円弧状の矢板壁６を、前記各継手付き鋼管矢板１における継ぎ手８に噛み合わせて、バイブロハンマー等の振動工法により水底地盤３９および基礎地盤１０に打設する。
【００３８】
次いで、図８（ｆ）に示すように、一方の継ぎ手付き杭列４と他方の杭列５における鋼管杭本体９の上部に上部工４１を、プレキャスト製部材および場所打ちコンクリート床版等により架設・構築する。
【００３９】
次いで、図９（ｇ）に示すように、作業船２５から繰り出されるグラウト圧送用ホース４３により、杭２と鞘管７との空間にグラウト２９を充填して、杭２と鞘管７との一体化を図ると共に、水平補剛部材１６の先端部と継ぎ手付き鋼管杭１との嵌合継ぎ手内およびカバー部材内にグラウト２９を充填し、継ぎ手付き鋼管杭１と水平補剛部材１６先端部を一体化し、また継ぎ手付き鋼管杭１上端部とその外側に嵌合配置されたストラット部材３上端の短管１７との間の空間にグラウト２９を充填して、継ぎ手付き鋼管杭１とストラット部材上端との一体化を図る。また、前記グラウト２９により、短管１７内または継ぎ手付き鋼管杭１上端部内に上部工４１を構成する部材の差し込み部とを一体化する。
【００４０】
次いで、図９（ｈ）に示すように、必要に応じ、継ぎ手付き鋼管杭列４に、比較的小間隔を置いて平行に、直線状に、隣り合う鋼矢板相互の継ぎ手を噛み合わせて、水底地盤３９に打設して、止水矢板壁４２からなる止水壁体Ｂを築造する。
【００４１】
次いで、前記グラウト２９を充填した後（必要応じ設けられる止水壁体Ｂを設ける場合には、この止水壁体Ｂを構築した後）、図１０に示すように、継ぎ手付き杭１間において外側に凸の壁体Ａ内に裏込石等の裏込材１３を充填して、ストラット式の護岸構造の構築を完了する。
【００４２】
＜第２実施形態＞
図１１および図１２は、本発明の第２実施形態を示すものであって、海等の水域側に継ぎ手付き杭１が前後方向に間隔をおいて設けられて、継ぎ手付き杭列４が築造され、間隔をおいて隣り合う継ぎ手付き杭１における継ぎ手８に、矢板２３の継ぎ手相互が噛み合わされユニット化された外側に凸の矢板壁６における端部継ぎ手２４が噛み合わされて、水域側に向って凸の壁体Ａが形成されて、外側に凸の前記壁体Ａと杭２間および杭２の裏側に、裏込石等の裏込材１３が充填されている。なお、床版などの上部工４１は省略した。
【００４３】
この第２実施形態では、前記第１実施形態と比べて、継ぎ手付き杭列４および壁体Ａと、杭列５の位置関係が入れ代わり、杭列１が鉛直に打設され、ストラット部材３の鞘管７が鉛直に配置され、水平補剛部材１６がほぼ水平状態に配置されて構成された水平補剛材付きストラット部材３とされ、また、水平補剛材付きストラット部材３が反転配置されている。また止水壁体Ｂを設けない護岸構造とされている。
【００４４】
第２実施形態のように、水平補剛部材１６を水平状態に配置すると、さらに水平抵抗を大きくすることができる。その他の構成は、前記実施形態と同様であるので、同様な部分には、同様な符号を付して説明を省略する。
【００４５】
前記各実施形態では、護岸構造について説明してが、河川や山岳部等の陸上部における土留め壁や砂防ダム等の壁体構造物にも適宜適用することができ、これらの場合に、裏込材側を山側に配置するようにするとよい。なお、壁体Ａ，Ｂ間にモルタルあるいはセメントを充填するようにしてもよい。なお、本発明において、図示例の構成および施工ステップを、当業者が設計変更の範囲で適宜変更して実施することができる。
【００４６】
なお、本発明を実施する場合、前記杭２と直線矢板の継手部間に、アスファルト等のすべりを許容する材料を介在させて連結してもよく、また、壁体を構成する直線矢板の代わりに、端部に継手を有する円弧状の鋼板を用いてもよく、複数の直線矢板または鋼管矢板の相互間を連結する継ぎ手の間隙に、止水性の高い材料が充填されて連結されてもよい。また、前記壁体Ａと壁体Ｂのいずれか一方の壁体の打ち込み深さを、他方の壁体の打ち込み深さよりも深くしてもよく、この場合に、前記壁体Ａを海側に設け、前記壁体Ｂを陸側に設け、かつ前記壁体Ｂの打ち込み深さを、前記壁体Ａの打ち込み深さよりも深くしてもよい。
【００４７】
【発明の効果】
本発明により以下の効果が奏される。
【００４８】
第１発明によると、次の効果がある。
▲１▼壁体と一体化して土圧による抵抗に耐える構造を、ストラット構造とすることで、従来のジャケット構造物に比べ、レグがなくなり、ストラット部材の格点部以外には２重管構造にならないので、鋼材料および加工量を低減して経済的な構造とすることができる。
【００４９】
▲２▼  土圧に抵抗する構造物をストラット構造とすることで、壁体が嵌合する部材がすべて杭となり、海中部から海底部までのすべての範囲に連続した嵌合継ぎ手を設置することが可能となる。これにより、海底面以下まで嵌合継ぎ手を介して壁体を設置することが可能となり、海底面以下への施工もガイドレールである継ぎ手が連続していることから容易に行なえる。
【００５０】
第２発明によると、さらに次の作用効果がある。
通常のストラット構造は少ない斜材で杭間を連結して水平抵抗に耐えることが多いが、第２発明の構造によって、水平抵抗に対抗する部材がより必要な場合には、据え付けガイドの設置による施工と、水中接合を用いることで、継ぎ手付き杭と杭間を確実に連繋して、大きな水平力に抵抗することができる護岸構造とすることができ、しかも壁体の嵌合継ぎ手に影響を及ぼさず、ストラット式の護岸構造の特長を保持しつつ、水平抵抗性を高めることができる。
【００５１】
第３発明によると、さらに次の作用効果がある。
鞘管にストラット材の下端部を固定すると共に水平補剛部材の一端側を固定してユニット化された水平補剛部材付きストラット部材であるので、継ぎ手付き杭と杭を連結する部材が単純化されているので、構造が簡単で、施工も容易であり、鞘管を利用して、杭をガイドしながら水底地盤に打設することができる。
【００５２】
第４発明によると、次の作用効果がある。
さらに水平抵抗が必要な場合には、ストラット格点を、ジェットダウン工法等により、水底地盤の土中に容易に設置することで、水底地盤にストラット格点部分を支承させて水平抵抗をより大きくして、その水平変位を小さくし、しいては前記壁体Ａの水平変位を小さくすることができる。
【００５３】
第５発明によると、さらに次の作用効果がある。
杭列と継ぎ手付き杭列に平行に、地中に打ち込まれると共に直線状に配置され、相互間が継ぎ手で連結された複数の矢板による止水壁体Ｂが構成され、前記外側に凸の円弧状の壁体Ａと前記止水壁体Ｂとの間および止水壁体Ｂの裏側に裏込材が充填されているので、地盤に打設された壁体Ａと止水壁体Ｂとによる２重の止水壁体になり、止水性を格段に向上させた護岸構造とすることができ、しかも壁体間の間隔を比較的小さくすることができ、壁体間隔の小さい小型の護岸構造とすることができる。
【図面の簡単な説明】
【図１】本発明の護岸構造の一実施形態を示す概略斜視図である。
【図２】（ａ）は鋼管杭と鞘管およびストラット部材並びに水平補剛部材が集中する格点部付近を拡大して示す縦断側面図、（ｂ）は継ぎ手付き鋼管杭とストラット部材上端部の短管との結合関係を示す一部縦断側面図である。
【図３】図１の平面図である。
【図４】（ａ）はストラット部材を継ぎ手付き鋼管杭のガイド部に沿って下降移動して所定の位置に下降移動した状態を示す一部縦断側面図、（ｂ）は継ぎ手付き鋼管杭のガイド部に沿ってガイドされたストラット部材と継ぎ手付き鋼管杭との間にグラウトを充填して固定した状態を示す拡大横断平面図である。
【図５】図４（ｂ）を拡大して示す横断平面図である。
【図６】ストラット式護岸構造の施工手順を示すものであって、（ａ）は、継ぎ手付き鋼管杭を水底地盤に打設して一方の杭列を築造している状態を示す概略側面図、（ｂ）は継ぎ手付き鋼管杭に沿って水平補剛材付きストラット部材をガイドさせて降下させている状態を示す概略側面図である。
【図７】ストラット式護岸構造の施工手順を示すものであって、（ｃ）は継ぎ手付き鋼管杭に沿って水平補剛材付きストラット部材をこれに装着したジェット噴射装置により水底地盤中に降下させている状態を示す概略側面図、（ｄ）は水平補剛材付きストラット部材における鞘管をガイドとして他方の杭列を構築している状態を示す概略側面図である。
【図８】（ｅ）は一方の杭列を構成する隣り合う継ぎ手付き鋼管杭間に矢板による壁体を構築している状態を示す概略側面図、（ｆ）は一方の杭列と他方の杭列における鋼管杭の上部に床版を架設築造している状態を示す概略側面図である。
【図９】（ｇ）は、鞘管内と、継ぎ手付き鋼管杭とストラット部材と接合部にグラウトを注入している状態を示す概略側面図、（ｈ）は継ぎ手付き鋼管杭列に間隔をおいて止水矢板壁を構築している状態を示す概略側面図である。
【図１０】継ぎ手付き鋼管杭間の壁体および止水矢板壁間および止水矢板壁を埋め込むように裏込石を投入して状態を示す概略側面図である。
【図１１】本発明の第２実施形態のストラット式護岸構造を示す概略斜視図である。
【図１２】図１２における継ぎ手付き鋼管杭と水平補剛部材先端部との関係を示す横断平面図である。
【図１３】従来の護岸構造を示す一部縦断側面図である。
【符号の説明】
１  継ぎ手付き杭（または継ぎ手付き鋼管杭）
２  杭
３  ストラット部材
４  継ぎ手付き杭列
５  杭列
６  鋼矢板
７  鞘管
８  継ぎ手
９  鋼管杭本体
１０  基礎地盤
１１  水平部材据え付け用のガイド
１２  矢板継ぎ手
１３  裏込材
１４  ストラット格点
１５  ストラット材
１６  水平補剛部材
１７  鋼製短管
１８  端板
１９  嵌合継ぎ手
２０  継ぎ手部材
２１  側部カバー部材
２２  シール材
２３  矢板
２４  端部継ぎ手
２４ａ  仮固定用鋼製部材
２５  作業船
２６  噴射管
２７  高圧ホース
２８  圧入支持装置
２９  グラウト
３０  ジャケット構造物
３１  壁体
３２  レグ
３３  沖側継ぎ手部の位置
３４  斜材
３５  水平材
３６  杭
３７  ジャケット
３８  海底面
３９  水底地盤
４０  吊り下げ支持装置
４１  上部工
４２  止水矢板壁
４３  グラウト圧送用ホース
Ａ  壁体
Ｂ  壁体
【図１】
2004308328.tif 000003
【図２】
2004308328.tif 000004
【図３】
2004308328.tif 000005
【図４】
2004308328.tif 000006
【図５】
2004308328.tif 000007
【図６】
2004308328.tif 000008
【図７】
2004308328.tif 000009
【図８】
2004308328.tif 000010
【図９】
2004308328.tif 000011
【図１０】
2004308328.tif 000012
【図１１】
2004308328.tif 000013
【図１２】
2004308328.tif 000014
【図１３】
2004308328.tif 000015